(57)【特許請求の範囲】
【請求項１】
取付面に対して固定される固定ブロックと、光源を有して前記固定ブロックに着脱自在に結合する光源ブロックとを備え、
前記光源ブロックは、扁平な形状であって一面から前記光源の光を出射させる本体部と、前記本体部の他面に突設された複数個の係合凸部とを有し、
前記固定ブロックは、それぞれ前記係合凸部を弾性的に挟持する複数個の保持ばねを有し、
前記光源ブロックの前記本体部の前記一面には、前記係合凸部が係脱可能な複数個の係合穴が設けられていることを特徴とする照明器具。
【請求項２】
前記係合穴は、１個の光源ブロックの係合穴に別の光源ブロックの係合凸部を挿入し前記別の光源ブロックを前記１個の光源ブロックに対して前記本体部の前記一面に直交する軸周りに回転させたときに前記係合凸部が係合するような形状とされていることを特徴とする請求項１記載の照明器具。
【請求項３】
前記係合凸部と前記保持ばねとにおいて互いに接触する部位の少なくとも一部は導電材料からなり、
前記光源は、前記係合凸部と前記保持ばねとを介して給電されることを特徴とする請求項１記載の照明器具。
【請求項４】
前記係合凸部と前記係合穴とは前記本体部の厚さ方向から見て互いに重ならない配置で設けられていることを特徴とする請求項１記載の照明器具。
【発明の詳細な説明】
【技術分野】
【０００１】
本発明は、照明器具に関するものである。
【背景技術】
【０００２】
従来から、天井面等の取付面に固定される固定ブロックと、固定ブロックに着脱自在に結合し固定ブロックから給電されて光源を点灯させる光源ブロックとを備える照明器具が提供されている（例えば、特許文献１参照）。
【０００３】
上記の照明器具においては、光源ブロックを交換することによって光源を交換することができ、且つ、固定ブロックに対する光源ブロックの着脱は、取付面に対する照明器具の着脱や、照明器具に対する光源の着脱よりも容易とすることができるから、整備性が改善される。
【先行技術文献】
【特許文献】
【０００４】
【特許文献１】特開２００７−２５０３０３号公報
【発明の概要】
【発明が解決しようとする課題】
【０００５】
ここで、光源ブロックを固定ブロックに着脱自在に結合させる構造としては、凹凸係合や嵌合などが考えられるが、いずれにしても、光源ブロックの着脱時には、取付面付近において光源ブロック自体に操作力を加える必要があった。
【０００６】
本発明は、上記事由に鑑みて為されたものであり、その目的は、光源ブロックの交換が容易な照明器具を提供することにある。
【課題を解決するための手段】
【０００７】
本発明の照明器具は、取付面に対して固定される固定ブロックと、光源を有して前記固定ブロックに着脱自在に結合する光源ブロックとを備え、前記光源ブロックは、扁平な形状であって一面から前記光源の光を出射させる本体部と、前記本体部の他面に突設された複数個の係合凸部とを有し、前記固定ブロックは、それぞれ前記係合凸部を弾性的に挟持する複数個の保持ばねを有し、前記光源ブロックの前記本体部の前記一面には、前記係合凸部が係脱可能な複数個の係合穴が設けられていることを特徴とする。
【０００８】
上記の照明器具において、前記係合穴は、１個の光源ブロックの係合穴に別の光源ブロックの係合凸部を挿入し前記別の光源ブロックを前記１個の光源ブロックに対して前記本体部の前記一面に直交する軸周りに回転させたときに前記係合凸部が係合するような形状とされていることが望ましい。
【０００９】
上記の照明器具において、前記係合凸部と前記保持ばねとにおいて互いに接触する部位の少なくとも一部は導電材料からなり、前記光源は、前記係合凸部と前記保持ばねとを介して給電されることが望ましい。
【００１０】
上記の照明器具において、前記係合凸部と前記係合穴とは前記本体部の厚さ方向から見て互いに重ならない配置で設けられていることが望ましい。
【発明の効果】
【００１１】
本発明によれば、固定ブロックに結合した光源ブロックを交換する際には、該光源ブロックの各係合穴にそれぞれ別の光源ブロックの係合凸部を係合させることで、上記別の光源ブロックを着脱式の把手のようにして使用することができるから、光源ブロックの交換が容易となる。
【図面の簡単な説明】
【００１２】
【図１】本発明の実施形態において光源ブロックが固定ブロックから分離した状態を示す斜視図である。
【図２】同上において光源ブロックが固定ブロックに結合した状態を示す斜視図である。
【図３】図１のＡ−Ａ断面における断面図である。
【図４】図２のＢ−Ｂ断面における断面図である。
【図５】同上を示す分解斜視図である。
【図６】同上において第１光源ブロックと第２光源ブロックとの位置合わせがされた状態を示す斜視図である。
【図７】同上において第１光源ブロックの係合穴に第２光源ブロックの係合凸部が挿入された状態を示す斜視図である。
【図８】図７の状態の要部を示す一部破断した斜視図である。
【図９】同上において第１光源ブロックに第２光源ブロックが結合した状態を示す斜視図である。
【図１０】図９の状態の要部を示す一部破断した斜視図である。
【図１１】同上の使用形態の一例を示す説明図である。
【図１２】同上の変更例における光源ブロックを示す斜視図である。
【発明を実施するための形態】
【００１３】
以下、本発明を実施するための最良の形態について、図面を参照しながら説明する。
【００１４】
本実施形態は、図１〜図４に示すように、天井面等の取付面（図示せず）に対して固定される固定ブロック１と、光源である面状発光体２０を保持して固定ブロック１に着脱自在に結合する光源ブロック２とを備える。以下、上下方向は図１を基準として説明する。
【００１５】
面状発光体２０は扁平な形状であって、通電されることにより一面を発光させるものである。このような面状発光体は例えば有機ＥＬを用いて周知技術で実現可能であるので、詳細な説明は省略する。
【００１６】
光源ブロック２は、面状発光体２０が収納された収納凹部３０が下面に設けられたボディ３と、透光性を有する材料からなりボディ３に結合して収納凹部３０を閉塞するカバー４とを備える。カバー４の材料としては例えばアクリル樹脂を用いることができる。面状発光体２０は発光面（上記の一面）を下方に向けており、面状発光体２０の光はカバー４を通じて下方へ出射する。
【００１７】
また、光源ブロック２は、全体として扁平な直方体形状であって下面から面状発光体２０の光を出射させる本体部２１と、本体部２１の上面において互いに対角となる角付近に突設された２個の係合凸部２２とを有する。カバー４と面状発光体２０とはそれぞれ本体部２１に含まれる。係合凸部２２は、上記の角が並ぶ方向での寸法が先端部において大きくされたＴ字形状となっている。
【００１８】
固定ブロック１は、図５に示すように、全体として扁平な直方体形状であって上面に収納凹部５０が設けられたブロック本体５と、収納凹部５０内に収納されるプリント配線板６と、ブロック本体５の上側に結合して収納凹部５０を閉塞するブロックカバー７とを備える。プリント配線板６には、面状発光体２０を点灯させる電力を生成する直流電源回路（図示せず）が実装されている。
【００１９】
また、固定ブロック１のブロック本体５において互いに対角となる２個の角付近には、それぞれ、上記の角が並ぶ方向に弾性的に開閉するクリップ状の板ばねからなる保持ばね８が保持されている。各保持ばね８は、それぞれ例えば金属のような導電材料からなり、プリント配線板６に電気的に接続されている。
【００２０】
ブロック本体５の下面には、保持ばね８の両端部をそれぞれ内部に突出させる２個の接続穴５１が開口している。
【００２１】
光源ブロック２を固定ブロック１に取り付ける際には、光源ブロック２の各係合凸部２２の位置をそれぞれ接続穴５１の位置に合わせ、光源ブロック２を下方から固定ブロック１に押し付ける。すると、各係合凸部２２がそれぞれ接続穴５１内の保持ばね８に弾性的に挟持されることで、光源ブロック２が固定ブロック１に結合する。ここで、各係合凸部２２においてそれぞれ少なくとも保持ばね８に接触する部位は、面状発光体２０に電気的に接続された導電体で構成されている。そして、光源ブロック２が固定ブロック１に結合した状態では、プリント配線板６に実装された直流電源回路から、保持ばね８と上記の導電体とを介して、面状発光体２０に電力が供給される。本実施形態では上記のように係合凸部２２と保持ばね８とが接触導通するので、接触導通する端子が別途に設けられる場合に比べて構造が単純化される。
【００２２】
逆に、光源ブロック２を固定ブロック１から取り外す際には、光源ブロック２を下方に引けばよい。
【００２３】
ここで、カバー４は、下方から見て、ボディ３の４つの角付近をそれぞれ三角形状に露出させる八角形状となっている。そして、ボディ３の下面において、互いに対角に位置する２個の角であって上面に係合凸部２２が設けられていない２個の角付近には、それぞれ係合凸部２２が係脱可能な係合穴２３が設けられている。
【００２４】
各係合穴２３は、それぞれ、係合凸部２２を挿抜可能な挿抜部２３１と、係合凸部２２の基部を挿通可能且つ係合凸部２２の先端部を挿通不可能な引掛部２３２とを有する、いわゆるダルマ穴形状となっている。挿抜部２３１からの引掛部２３２の延長方向は、２個の係合穴２３で互いに逆向きとなっている。
【００２５】
すなわち、固定ブロック１に結合した光源ブロック２（以下、「第１光源ブロック２ａ」と呼ぶ。）を固定ブロック１から取り外す際、別の光源ブロック２（以下、「第２光源ブロック２ｂ」と呼ぶ。）を第１光源ブロック２ａに結合させて把手として使用することができる。
【００２６】
第１光源ブロック２ａに第２光源ブロック２ｂを結合させるには、図６〜図８に示すように、第１光源ブロック２ａの各係合穴２３の挿抜部２３１にそれぞれ第２光源ブロック２ｂの係合凸部２２を挿入する。その後、図９に矢印Ａ１で示すように、第２光源ブロック２ｂを第１光源ブロック２ａに対し、第１光源ブロック２ａの下面に直交する軸周りに、下方から見て反時計回りに回転させると、図１０に矢印Ａ２で示すように係合凸部２２が引掛部２３２に係入することで、第２光源ブロック２ｂが第１光源ブロック２ａに結合する。この状態で第２光源ブロック２ｂを下方に引けば、第１光源ブロック２ａを固定ブロック１から取り外すことができる。
【００２７】
その後、第２光源ブロック２ｂを第１光源ブロック２ａから取り外すには、下方から見て第２光源ブロック２ｂを第１光源ブロック２ａに対して時計回り方向に回転させた後で、各係合凸部２２をそれぞれ挿抜部２３１を通じて引き抜けばよい。
【００２８】
上記構成によれば、固定ブロック１に結合した第１光源ブロック２ａを交換する際、別の第２光源ブロック２ｂを着脱式の把手のようにして使用すれば、第１光源ブロック２ａに直接操作力を加える場合に比べ、より取付面から離れた位置で操作力を加えることができるから、光源ブロック２の交換が容易となる。
【００２９】
特に、図１１に示すように複数個の本実施形態が隙間無く配列されて使用されている場合のように、光源ブロック２，２ａの側方に指を入れる隙間が無い場合、別の光源ブロック２ｂを用いた着脱が特に有効である。
【００３０】
なお、係合穴２３を上記のような貫通穴とせず凹部とする場合、係合凸部２２の下側に係合穴２３を設けることができ、さらに、図１２に示すように４つの角全てにそれぞれ係合凸部２２と係合穴２３（図１２には図示せず）とを設けることができる。ただし、係合穴２３の位置は係合凸部２２に対し上下方向（本体部２１の厚さ方向）に並ばない位置として係合穴２３を貫通穴としたほうが、係合穴２３の深さの割に本体部２１の厚さ寸法を小さくすることができるから望ましい。
【符号の説明】
【００３１】
１  固定ブロック
２  光源ブロック
２ａ  第１光源ブロック（１個の光源ブロック）
２ｂ  第２光源ブロック（別の光源ブロック）
８  保持ばね
２０  面状光源
２１  本体部
２２  係合凸部
２３  係合穴
【図１】
0005789772.tif 000002
【図２】
0005789772.tif 000003
【図３】
0005789772.tif 000004
【図４】
0005789772.tif 000005
【図５】
0005789772.tif 000006
【図６】
0005789772.tif 000007
【図７】
0005789772.tif 000008
【図８】
0005789772.tif 000009
【図９】
0005789772.tif 000010
【図１０】
0005789772.tif 000011
【図１１】
0005789772.tif 000012
【図１２】
0005789772.tif 000013